(57)【要約】      （修正有）【課題】外部の人間に威圧感を与えることを低減することができ、持ち運びしやすく、収納がしやすい飛沫拡散防止用衝立を提供する。【解決手段】飛沫拡散防止用衝立１は、それぞれ紙製の左側板部１０と中央板部３０と右側板部２０とを備え、一部が透明シート部４０で構成されており、中央板部３０の左右端部３５、３６に、それぞれ折り畳み支点となる第一屈折部５０及び第二屈折部６０を介して左側板部１０と右側板部２０とが連設されており、左側板部１０と右側板部２０とは、それぞれ第一屈折部５０及び第二屈折部６０を介して中央板部３０に対面するように折り畳まれる構成とされている。【選択図】図３
0003228497.tif 000002
【実用新案登録請求の範囲】
【請求項１】
それぞれ紙製の左側板部と中央板部と右側板部とを備え、一部が透明シート部で構成されている飛沫拡散防止用衝立であって、
前記中央板部の左右端部に、それぞれ折り畳み支点となる第一屈折部及び第二屈折部を介して前記左側板部と前記右側板部とが連設されており、前記左側板部と前記右側板部とは、それぞれ前記第一屈折部及び前記第二屈折部を介して前記中央板部に対面するように折り畳まれる構成とされていることを特徴とする飛沫拡散防止用衝立。
【請求項２】
請求項１において、
前記中央板部は、左右方向略中央に設けた第三屈折部を境として左側部と右側部とに分割されており、
前記左側部と前記右側部は、前記第三屈折部を折り畳み支点として互いに対面するように折り畳まれる構成とされていることを特徴とする飛沫拡散防止用衝立。
【請求項３】
請求項１及び２において、
前記透明シート部は、前記左側板部と前記右側板部のそれぞれの上下端部及び左右端部、及び前記中央板部の上下端部及び前記左右端部を除いた部分に設けられていることを特徴とする飛沫拡散防止用衝立。
【請求項４】
請求項１及び２において、
前記透明シート部は、前記中央板部の上下端部と、前記左側板部の上下端部及び左端部と、前記右側板部の上下端部及び右端部とを除いた、前記中央板部と前記左側板部と前記右側板部の略全体に亘って設けられていることを特徴とする飛沫拡散防止用衝立。
【請求項５】
請求項１乃至４において、
前記左側板部と前記右側板部と前記中央板部のそれぞれの下端部には、折り曲げた状態で設置面に対する脚部となる第一折り曲げ部、第二折り曲げ部及び第三折り曲げ部が設けられていることを特徴とする飛沫拡散防止用衝立。
【請求項６】
請求項５において、
前記第一折り曲げ部及び前記第二折り曲げ部のそれぞれの前記中央板部側の端部には、それぞれ第一係合部及び第二係合部が設けられており、
前記第三折り曲げ部の左右端部には、それぞれ第一被係合部と第二被係合部が設けられており、
前記左側板部と前記右側板部とが、前記中央板部と略直角となるようにそれぞれ前記第一屈折部と前記第二屈折部とを介して折り曲げられ、かつ前記第一折り曲げ部と前記第二折り曲げ部と前記第三折り曲げ部とが、それぞれ前記左側板部と前記右側板部と前記中央板部に対して略直角に折り曲げられた状態で、
前記第一係合部及び前記第二係合部が、それぞれ前記第一被係合部と前記第二被係合部とに係合する構成とされていることを特徴とする飛沫拡散防止用衝立。
【請求項７】
請求項２乃至６において、
前記左側板部と前記右側板部と前記左側部と前記右側部は、略同寸法とされていることを特徴とする飛沫拡散防止用衝立。
【請求項８】
請求項１乃至７において、
前記左側板部と前記右側板部と前記中央板部の板厚は約０．４ｍｍ〜１．０ｍｍであることを特徴とする飛沫拡散防止用衝立。
【考案の詳細な説明】
【技術分野】
【０００１】    本考案は、飛沫拡散防止用衝立に関する。
【背景技術】
【０００２】  従来より、下記特許文献に示すような、左側基板と背面基板と右側基板とが連設された折り畳み可能な衝立が知られている。
【先行技術文献】
【特許文献】
【０００３】
【特許文献１】特開２０１４−４６１９３号
【考案の概要】
【考案が解決しようとする課題】
【０００４】  しかしながら、このような衝立では、各基板をポリプロピレンで構成しているため比較的重く、持ち運ぶ際などに不便な場合がある。
また、この衝立は、主に障害者の方が集中して作業などを行うことができるように、周囲からの情報を遮断するように構成されているため、各基板は不透明な構成となっており、衝立の一方側から衝立を隔てた反対側の様子を視認できない構成となっている。
そうすると、仮にこの衝立を机などの上に立てて、椅子に座った人間の口から飛ばされる唾液などの飛沫が外部へ拡散することを防ぐ目的で用いた場合には、このような衝立では、各基板が透明ではないため、椅子に座った人間の様子が外部からは視認できす、衝立の外側の人間が威圧感を感じるおそれがある。
そのため改善が求められていた。【０００５】  本考案は、上記実情に鑑みてなされたものであり、外部の人間に威圧感を与えることを低減することができ、持ち運びしやすく、収納がしやすい飛沫拡散防止用衝立を提供することを目的とする。
【課題を解決するための手段】
【０００６】  上記目的を達成するために、本発明に係る飛沫拡散防止用衝立は、それぞれ紙製の左側板部と中央板部と右側板部とを備え、一部が透明シート部で構成されており、前記中央板部の左右端部に、それぞれ折り畳み支点となる第一屈折部及び第二屈折部を介して前記左側板部と前記右側板部とが連設されており、前記左側板部と前記右側板部とは、それぞれ前記第一屈折部及び前記第二屈折部を介して前記中央板部に対面するように折り畳まれる構成とされていることを特徴とする。【０００７】  本発明においては、前記中央板部は、左右方向略中央に設けた第三屈折部を境として左側部と右側部とに分割されており、前記左側部と前記右側部は、前記第三屈折部を折り畳み支点として互いに対面するように折り畳まれる構成とされたものとしてもよい。【０００８】  また、本発明においては、前記透明シート部は、前記左側板部と前記右側板部のそれぞれの上下端部及び左右端部、及び前記中央板部の上下端部及び前記左右端部を除いた部分に設けられているものとしてもよい。【０００９】  さらに、本発明においては、前記透明シート部は、前記中央板部の上下端部と、前記左側板部の上下端部及び左端部と、前記右側板部の上下端部及び右端部とを除いた、前記中央板部と前記左側板部と前記右側板部の略全体に亘って設けられているものとしてもよい。【００１０】  さらにまた、本発明においては、前記左側板部と前記右側板部と前記中央板部のそれぞれの下端部には、折り曲げた状態で設置面に対する脚部となる第一折り曲げ部、第二折り曲げ部及び第三折り曲げ部が設けられているものとしてもよい。【００１１】  また、本発明においては、前記第一折り曲げ部及び前記第二折り曲げ部のそれぞれの前記中央板部側の端部には、それぞれ第一係合部及び第二係合部が設けられており、前記第三折り曲げ部の左右端部には、それぞれ第一被係合部と第二被係合部が設けられており、前記左側板部と前記右側板部とが、前記中央板部と略直角となるようにそれぞれ前記第一屈折部と前記第二屈折部とを介して折り曲げられ、かつ前記第一折り曲げ部と前記第二折り曲げ部と前記第三折り曲げ部とが、それぞれ前記左側板部と前記右側板部と前記中央板部に対して略直角に折り曲げられた状態で、前記第一係合部及び前記第二係合部が、それぞれ前記第一被係合部と前記第二被係合部とに係合する構成とされているものとしてもよい。【００１２】  さらに、本発明においては、前記左側板部と前記右側板部と前記左側部と前記右側部は、略同寸法とされているものとしてもよい。【００１３】  さらにまた、本発明においては、前記左側板部と前記右側板部と前記中央板部の板厚を約０．４ｍｍ〜１．０ｍｍとしてもよい。
【考案の効果】
【００１４】  本発明に係る飛沫拡散防止用衝立は、外部の人間に威圧感を与えることを低減することができ、持ち運びしやすく、収納がしやすい。
【図面の簡単な説明】
【００１５】
【図１】本発明の第一実施形態に係る飛沫拡散防止用衝立の一例を模式的に示す概略斜視図である。
【図２】同飛沫拡散防止用衝立を展開した状態の一例を模式的に示す概略正面図である。
【図３】同飛沫拡散防止用衝立を組み付けて設置した状態の一例を模式的に示す概略斜視図である。
【図４】図３のＡ−Ａ線矢視に対応させた概略横断面図である。
【図５】図３のＢ−Ｂ線矢視に対応させた概略縦断面図である。
【図６】同飛沫拡散防止用衝立を折り畳んだ状態の一例を模式的に示す概略側面図である。
【図７】同飛沫拡散防止用衝立を折り畳んだ状態の一例を模式的に示す概略平面図である。
【図８】本発明の第二実施形態に係る飛沫拡散防止用衝立の一例を模式的に示す概略斜視図である。
【考案を実施するための形態】
【００１６】  以下に本発明の実施の形態について、図面を参照しながら説明する。
本発明の第一実施形態に係る飛沫拡散防止用衝立１は、図１及び図２に示すように、それぞれ紙製の左側板部１０と中央板部３０と右側板部３０とを備えている。なお、飛沫拡散防止用衝立１を単に衝立１と呼ぶ場合がある。
左側板部１０と右側板部２０は、図２に示すように、いずれも略矩形平板状である。図例では、上下方向に長尺状としている。
ここで、後述するように、当該衝立１を設置面２に設置した状態において、上下方向を定義する。また、各板部１０，２０，３０の左右方向とは、上下方向に直交する方向であり、板幅方向に沿った方向をいう。
中央板部３０は、図２に示すように、略矩形平板状である。図例では、左右方向に長尺状としたものを示し、全体が左側板部１０及び右側板部２０の約２倍の寸法としたものを示している。
【００１７】  中央板部３０の左右端部３５，３６には、図１及び図２に示すように、それぞれ第一屈折部５０及び第二屈折部６０が設けられており、これら第一屈折部５０及び第二屈折部６０を介して、それぞれ左側板部１０と右側板部２０とが連設されている。
図例では、第一屈折部５０及び第二屈折部６０として、それぞれ上下方向に細長状であり、中央板部３０の左右端部３５，３６の縁部の略全体に亘って設けたものを示している。
【００１８】  また、本実施形態では、中央板部３０は、図１及び図２に示すように、左右方向略中央に設けた第三屈折部７０を境として左側部３１と右側部３２とに分割された構成とされている。
図例では、第三屈折部７０として、上下方向に細長状であり、中央板部３０の左右方向略中央に、上下方向に沿って延びるように、上下方向の略全体に亘って設けたものを示している。第三屈折部７０は、その上下端部の部分が紙製であり、それらの間の部分が後述する透明シート部４０の一部で構成されている。
左側部３１と右側部３２は、図２に示すように、いずれも略矩形平板状である。図例では、上下方向に長尺状としている。
【００１９】  左側板部１０と右側板部２０は、図１及び図７に示すように、それぞれ折り畳み支点となる第一屈折部５０及び第二屈折部６０を介して中央板部３０に対面するように折り畳まれる構成とされている。
また、左側部３１と右側部３２は、第三屈折部７０を折り畳み支点として互いに対面するように折り畳まれる構成とされている。
【００２０】  左側板部１０と中央板部３０と右側板部２０の厚さ寸法、及び第一屈折部５０と第二屈折部６０と第三屈折部７０の厚さ寸法は、図４及び図５に示すように、いずれも略同寸法としている。これらの厚さ寸法は、いずれも、後述する透明シート部４０を除いた部分の板厚方向に沿った厚さ寸法を指す。
これら屈折部５０，６０，７０は、その両側の板部１０，２０，３１，３２が互いに対面するように折り畳まれることが可能な構成とされていればよい。
図例では、これら第一屈折部５０と第二屈折部６０を、厚さ方向における、それぞれの両側の板部１０，３１，２０，３２が対面するように折り畳まれる側の方向に、その側の部位が両側の板部１０，３１，２０，３２からわずかに突出するように、かつ、その突出した部位の厚さ方向の逆側が、両側の板部１０，３１，２０，３２からわずかに凹むように、板部１０，３１，２０，３２の間に設けたものを示している。
また、第三屈折部７０についても、透明シート部４０を除いた部分を、厚さ方向における、両側の板部３１，３２が折り畳まれる側の方向に、その側の部位が両側の板部３１，３２からわずかに突出するように、かつ、その突出した部位の厚さ方向の逆側が、両側の板部３１，３２からわずかに凹むように、板部３１，３２の間に設けたものを示している。
【００２１】  左側板部１０と中央板部３０と右側板部２０は、透明シート部４０を除いた部分は紙製としている。その材質としては、限定されるものではないが、ある程度の剛性が付与され、これら板部１０，２０，３０が撓むことが可能な構成のものとしてもよい。
【００２２】  各板部１０，２０，３０の透明シート部４０を除いた部分としては、板紙単体や、板紙と薄紙またはプラスチックフィルムまたはアルミニウム箔などの金属箔とを貼り合わせた複合紙、段ボール、特殊紙（エンボス紙、耐水、耐油紙、抗菌紙など）などを用いたものとしてもよい。
板紙としては、白板紙やチップボール、色板紙などとしてもよい。白板紙としては、コートボールやノーコートボールの白ボールや、マニラボールを使用してもよい。
【００２３】  板紙と薄紙とを貼り合わせた複合紙を使用する場合、薄紙としては、コート紙、アート紙、キャストコート紙などの洋紙のほか、和紙なども使用することができる。
板紙とプラスチックフィルムとを貼り合わせた複合紙を使用する場合、プラスチックフィルムとしては、ポリプロピレンフィルム、ポリエステルフィルム、ポリスチレンフィルムのほか、トリアセチルセルロースフィルム、セロハンなども使用することができる。
【００２４】  これらのプラスチックフィルムは単体の透明フィルムのほか、意匠性を高めるためにアルミニウムなどの金属を蒸着した金属蒸着フィルムを使用することもできる。
板紙と金属箔とを貼り合わせた複合紙を使用する場合、金属箔としては、アルミニウム箔のほかに銅箔なども使用できる。
【００２５】  上記板紙などは、米坪量が約２３０ｇ／ｍ２〜５５０ｇ／ｍ２の範囲のものとしてもよい。このようなものでは、剛性が付与されるため、衝立としての強度や形状保持力が高くなる。
【００２６】  第一屈折部５０と第二屈折部６０は、その略全体が紙製とされている。第三屈折部７０は、透明シート部４０を除いた部分を紙製としている。その紙製の部分の材質は限定されず、例えば、上記したような材質のものを採用してもよい。その材質としては、ある程度の柔軟性を有するものとしてもよい。
これら板部１０，２０，３０と屈折部５０，６０，７０は、透明シート部４０を除いた部分は、すべて同じ材質からなるものとしてもよく、全体が一枚に連なるような構成としてもよい。
【００２７】  左側板部１０と中央板部３０と右側板部２０とは、一部が透明シート部４０で構成されている。
本実施形態では、図１及び図２に示すように、透明シート部４０は、左側板部１０と右側板部２０のそれぞれの上下端部１１，１２，２１，２２及び左右端部１３，１４，２３，２４、及び中央板部３０の上下端部３３，３４及び左右端部３５，３６を除いた部分に設けられている。
透明シート部４０は、左側板部１０と右側板部２０と中央板部３０と相似な形状としてもよく、これらよりも全体の幅寸法が小さいものとしてもよい。
図例では、透明シート部４０を、略矩形状とし、左側板部１０と右側板部２０と中央板部３０における、これらの四周端部１１，１２，１３，１４，２１，２２，２３，２４，３３，３４，３５，３６を除く略全域に設けた例を示している。
【００２８】  透明シート部４０としては、当該衝立１の各板部１０，２０，３０の一方側から、当該衝立１を隔てた反対側が視認できるものであればよい。完全に透明なものでもよく、半透明なものでもよく、色つきのものでもよい。透明度は限定されない。
また、透明シート部としては、柔軟性があり、かつ、折り畳み可能なものとしてもよく、例えば、透明フィルムやセロハンなどを使用してもよい。その材質としては、例えば、ポリ塩化ビニルやポリエチレンテレフタレート、ポリプロピレン、ポリエチレン、ポリエステル、ポリスチレン、トリアセチルセルロースなどを使用してもよく、特に限定されることはない。透明シート部としては、廃棄時に環境に対する悪影響が少ないものとしてもよい。
【００２９】  本実施形態では、図１〜図３などに示すように、左側板部１０と右側板部２０と中央板部３０のそれぞれの下端部１２，２２，３４には、折り曲げた状態で設置面２に対する脚部となる第一折り曲げ部１５、第二折り曲げ部２５及び第三折り曲げ部３７が設けられている。
これら折り曲げ部１５，２５，３７は、略矩形平板状とされており、図例では、左右方向に沿って長尺状としたものを示している。
これら折り曲げ部１５，２５，３７は、各板部１０，２０，３０に対して折り曲げ可能な構成とされており、各板部１０，２０，３０との間に、屈折部を設けても良い。屈折部としては、各屈折部５０，６０，７０と同様の構成のものとしてもよい。また、これら折り曲げ部１５，２５，３７は紙製としてもよく、各板部１０，２０，３０と一枚状に連なるように形成してもよい。
【００３０】  また、本実施形態では、図１〜図３などに示すように、第一折り曲げ部１５及び第二折り曲げ部２５のそれぞれの中央板部３０側の端部には、それぞれ第一係合部１６及び第二係合部２６が設けられている。
また、第三折り曲げ部３７の左右端部には、それぞれ第一被係合部３８と第二被係合部３９が設けられている。
【００３１】  図１及び３などに示すように、左側板部１０と右側板部２０とが、中央板部３０と略直角となるようにそれぞれ第一屈折部５０と第二屈折部６０とを介して折り曲げられ、かつ第一折り曲げ部１５と第二折り曲げ部２５と第三折り曲げ部３７とが、それぞれ左側板部１０と右側板部２０と中央板部３０に対して略直角に折り曲げられた状態で、第一係合部１６及び第二係合部２６が、それぞれ第一被係合部３８と第二被係合部３９とに係合する構成とされている。
【００３２】  図例では、図１などに示すように、第一折り曲げ部１５の中央板部３０側の端部に、厚さ方向に略Ｕ字状の切れ込みを入れて、その切れ込み部分を押し上げることで、第一係合部１６として機能する構成としたものを示している。第二係合部２６も同様の構成である。
また、図例では、第三折り曲げ部３７の左端部に、厚さ方向に略Ｕ字状の切れ込みを入れて、その切れ込み部分を押し上げることで、第一被係合部３８として機能する構成としたものを示している。第二被係合部３９も同様の構成である。
【００３３】  第一係合部１６と第一被係合部３８、及び第二係合部２６と第二被係合部３９は、第一折り曲げ部１５及び第二折り曲げ部２５を、それぞれ左側板部１０及び右側板部２０に対して略直角に折り曲げて、かつ左側板部１０及び右側板部２０を、それぞれ中央板部３０に対して略直角に折り曲げた状態で、互いに係合することが可能な構成とされている。
【００３４】  図３に示すように、上記状態において、第一折り曲げ部１５を第三折り曲げ部３７の上に重ねた状態で、下方側の第三折り曲げ部３７の第一被係合部３８を上方側に押し上げて、それに重なるように上方側の第一折り曲げ部１５の第一係合部１６を上方側に押し上げる。これにより、第一係合部１６と第一被係合部３８とが近接した状態で折り曲げ部１５，３７から立ち上がった状態となるので、これら折り曲げ部１５，３７同士を固定することが可能となる。第二係合部２６と第二被係合部３９との係合の態様も同様の構成となる。
なお、第一折り曲げ部１５や第二折り曲げ部２５を第三折り曲げ部３７の下に重ねて、係合部１６，２６と被係合部３８，３９の配置が上記と逆となった状態でこれらを上方側に押し上げてもよい。
【００３５】  本実施形態では、図１及び図２に示すように、左側板部１０と右側板部２０と左側部３１と右側部３２を、略同寸法としている。
図例では、左側板部１０、右側板部２０、左側部３１及び右側部３２として、いずれも第一折り曲げ部１５、第二折り曲げ部２５及び第三折り曲げ部３７の部分を含んだ寸法、及びこれらを除いた寸法を、互いに略同寸法としたものを示している。
なお、左側板部１０と右側板部２０と左側部３１と右側部３２の寸法は、略同寸法としなくてもよい。
【００３６】  また、本実施形態では、左側板部１０と右側板部２０と中央板部３０の板厚を約０．４ｍｍ〜１．０ｍｍとしている。この板厚は、左側板部１０と右側板部２０と中央板部３０における、透明シート部４０を除いた部分の厚さである。このような厚さであれば、適度の剛性が付与されるので、当該衝立１の強度が保たれ、形状保持力が確保される。
透明シート部４０の厚さは、図４及び図５に示すように、これら板部１０，２０，３０における透明シート部４０を除いた部分の厚さよりも小さいものとしてもよい。
なお、左側板部１０と右側板部２０と中央板部３０の透明シート部４０を除いた部分の板厚としては、上記の範囲の厚さに限定されず、これよりも小さくしたり、大きくしたりしてもよい。また、これらの板厚をそれぞれ異なる厚さとしてもよい。透明シート部４０の厚さも、各板部の厚さよりも大きくしてもよい。
【００３７】  各板部１０，２０，３０の寸法としては、例えば、左右方向の寸法を約１０ｃｍ〜４０ｃｍ、上下方向の寸法（各折り曲げ部を除いた寸法）を約２０ｃｍ〜５０ｃｍなどとしてもよい。なお、これら寸法は限定されるものではなく、それよりも大きくてもよく、小さくてもよい。
【００３８】  上記構成より、本実施形態に係る当該衝立１は、図７に示すように、左側板部１０と左側部３１とが、及び左側部３１と右側部３２とが、及び右側部３２と右側板部２０とが互いに対面するように、蛇腹状となるように折り畳むことができる。
折り畳んだ状態の当該衝立１は、図６及び図７に示すように、略同寸法の各板部１０，３１，３２，２０が、互いの４つの角部がそろった状態で折り畳まれる。
【００３９】  また、折り畳まれた状態での当該衝立１の板厚は、左側板部１０と右側板部２０と左側部３１と右側部３２の板厚を足した厚さとほぼ同じになる。
したがって、折り畳んだ状態では、当該衝立１は、厚さが小さく押さえられた略矩形平板状となり、コンパクトにすることができる。
【００４０】  図例では、左側板部１０と右側板部２０と右側部３２と左側部３１とが蛇腹状に対面するように折り畳まれたものを示しているが、それに限定されない。
左側板部１０と左側部３１とが対面し、右側板部２０と右側部３２が対面するように折り畳まれ、さらにその状態で左側板部１０と右側板部２０とが対面するように折り畳まれるようにしてもよい。
【００４１】  当該衝立１は、図１及び図３に示すように、左側板部１０と右側板部２０を、第一屈折部５０及び第二屈折部６０を介して中央板部３０に対して折り曲げた状態で設置面２に対して自立可能な構成となっている。左側板部１０と右側板部２０は、中央板部３０の板厚方向のうちの同方向に向かって折り曲げられる。当該衝立１は、上下視して略コ字状に折り曲げられ、この状態で、設置面２に設置される。
【００４２】  また、本実施形態では、第一折り曲げ部１５、第二折り曲げ部２５及び第三折り曲げ部３７を、それぞれ左側板部１０と右側板部２０と中央板部３０に対して折り曲げた状態で、当該衝立１を設置面２に設置するものとしている。これら折り曲げ部１５，２５，３７が設置面２に対する脚部として機能する。
図例では、左側板部１０と右側板部２０を、中央板部３０に対して約９０度折り曲げ、かつ、第一折り曲げ部１５、第二折り曲げ部２５及び第三折り曲げ部３７を、それぞれ左側板部１０と右側板部２０と中央板部３０に対して約９０度折り曲げた状態とした例を示している。なお、これら折り曲げ角度はこれに限定されることはなく、９０度よりも大きくしてもよく、小さくしてもよい。
【００４３】  また、本実施形態では、これら折り曲げ部１５，２５，３７を折り曲げるとともに、第一折り曲げ部１５と第二折り曲げ部２５に設けられる第一係合部１６と第二係合部２６とを、それぞれ第三折り曲げ部３７に設けられる第一被係合部３８と第二被係合部３９とに係合させた構成としている。
【００４４】  当該衝立１は、上記のように組み付けて設置面２に設置することにより、左側板部１０と右側板部２０と中央板部３０が、設置面２から上下方向に延びるように、かつ左側板部１０と右側板部２０とが中央板部３０から使用者側に向かって延びるように設置面２に配置される。
これにより、設置面２としての机などの上に当該衝立１を自立させた状態で、使用者がその近くの椅子などに座って食事や作業など行う状況において、使用者の口からの唾液などの飛沫の飛散を、当該衝立１の左側板部１０と右側板部２０と中央板部３０とがブロックし、飛沫が当該衝立１の外部へ拡散することが抑制される。このように、当該衝立１を、飛沫拡散防止の用途に用いることができる。
なお、当該衝立１の用途としては、飛沫拡散防止用に限定されず、防音などの用途としてもよい。
【００４５】  本発明の第一実施形態に係る飛沫拡散防止用衝立１は、外部の人間に威圧感を与えることを低減することができ、持ち運びしやすく、収納がしやすい。
つまり、当該衝立１は、左側板部１０と右側板部２０をそれぞれ第一屈折部５０及び第二屈折部６０を介して中央板部３０に対面するように折り畳まれる構成とされている。したがって、当該飛沫拡散防止用衝立１をコンパクトに折り畳むことができるので、持ち運びやすい。また、折り畳んだ状態で収納できるので、収納スペースを少なくすることができる。
【００４６】  また、当該衝立１には一部に透明シート部４０を設けているので、例えば、当該衝立１を机などの上に立てて用いる際には、衝立１の外部の人が、机の前の椅子に座った人間の様子を透明シート部を介して視認することができるので、外部の人が威圧感を受けることを回避できる。したがって、安心して当該衝立１を机などの上に立てて使用することができる。
【００４７】  また、当該衝立１は紙製であるので、軽量化を図ることができ、持ち運び易い。また、使い捨てが可能であり、廃棄時に環境に対する悪影響を少なくすることができる。
【００４８】  また、当該衝立１は、左側板部１０と右側板部２０を、第一屈折部５０及び第二屈折部６０を介して中央板部３０に対して折り曲げた状態で設置面２に対して自立可能な構成となっている。したがって、例えば机などで食事をしたり作業などをしたりする場合に、当該衝立１を机の上に立てることで、机の前の椅子に座った人間の口からの唾液などの飛沫の拡散を当該衝立１が遮り、当該衝立１の外側の領域へ飛沫が飛んでいくことを防止することができる。仮に唾液などの飛沫に他人へ感染力のあるウイルスなどの病原体が含まれていた場合には、当該衝立１を用いることにより、病原体の感染を防止することができる。
【００４９】  また、本実施形態では、当該衝立１は、中央板部３０は、左右の左側部３１と右側部３２とに分割されており、これらが中央の第三屈折部７０を介して互いに対面するように折り畳まれる構成とされている。したがって、当該衝立１をさらにコンパクトに折り畳むことができるので、より持ち運びやすい。また、さらに収納スペースを少なくすることができる。
【００５０】  さらに、本実施形態では、当該衝立１において、透明シート部４０を、左側板部１０と右側板部２０のそれぞれの上下端部１１，１２，２１，２２及び左右端部１３，１４，２３，２４、及び中央板部３０の上下端部３３，３４及び左右端部３５，３６を除いた部分に設けている。
したがって、透明シート部４０の領域を大きく確保することができるので、当該衝立１の外側の人が、当該衝立１の内側の人間の様子をはっきりと視認することができ、外側の人が威圧感を受けることを大いに回避することができ、安心して当該衝立１を使用することができる。
また、左側板部１０と中央板部３０との間の第一屈折部５０の略全体を含む部分、及び右側板部２０と中央板部３０との間の第二屈折部６０の略全体を含む部分が紙製となっているので、それらの部分の強度を高めることができ、当該衝立１を組み立てて設置する際の形状保持力を高めることができる。
【００５１】  また、本実施形態では、当該衝立１では、左側板部１０と右側板部２０と中央板部３０のそれぞれの下端部１２，２２，３４に、折り曲げた状態で設置面２に設置される脚部となる第一折り曲げ部１５、第二折り曲げ部２５及び第三折り曲げ部３７が設けられている。したがって、これら折り曲げ部１５，２５，３７を折り曲げることで、机などの設置面２に設置される脚部とすることができるので、当該衝立１をより安定的に設置面２に設置することができる。
【００５２】  さらに、本実施形態では、当該衝立１では、第一折り曲げ部１５と第二折り曲げ部２５とに設けられた第一係合部１６及び第二係合部２６が、それぞれ第三折り曲げ部３７に設けられた第一被係合部３８と第二被係合部３９とに係合する構成とされている。
したがって、これらを係合させることによって、第一折り曲げ部１５と第二折り曲げ部と２５を、第三折り曲げ部３７に安定的に固定することができるので、当該衝立１をさらにより安定的に設置面２に設置することができる。
【００５３】  さらにまた、本実施形態では、当該衝立１では、左側板部１０と右側板部２０と左側部３１と右側部３２とを略同寸法としている。
したがって、これら４分割された部分を折り畳んだときに、各部分１０，２０，３１，３２の４つの角がそろってきれいに折り畳むことができるので、折り畳んだ状態の見栄えを向上させることができる。
また、各部分１０，２０，３１，３２の４つの角がそろっているため、折り畳んだ状態での持ち運びの利便性を向上させることができ、さらに、収納の際の収納スペースを最小限とすることができる。
【００５４】  また、本実施形態では、当該衝立１では、左側板部１０と右側板部２０と中央板部３０の板厚を約０．４ｍｍ〜１．０ｍｍとしており、比較的薄い板厚としているため、当該衝立１の全体の重量を低減させることができる。
したがって、当該衝立１を組み立てて使用する際に扱い易く、また、当該衝立１を折り畳んで持ち運んだり収納したりする際にも扱い易い。また、適度な剛性が付与されるので、当該衝立１を組み立てて設置した状態における形状保持力を維持することができる。
【００５５】  本発明の第二実施形態に係る飛沫拡散防止用衝立１Ａは、図８に示すように、透明シート部４０の構成が第一実施形態とは異なる。
本実施形態では、透明シート部４０は、中央板部３０Ａの上下端部３３，３４と、左側板部１０Ａの上下端部１１，１２及び左端部１３と、右側板部２０Ａの上下端部２１，２２及び右端部２４とを除いた、中央板部３０Ａと左側板部１０Ａと右側板部２０Ａの略全体に亘って設けられている。
図例では、透明シート部４０を、略矩形状とし、左側板部１０Ａと右側板部２０Ａと中央板部３０Ａの略全体に亘って連なるように設けた例を示している。
本実施形態では、第一屈折部５０Ａ及び第二屈折部６０Ａは、その上下端部を紙製とし、それらの間を透明シート部４０の部分で構成している。
【００５６】  本発明の第二実施形態に係る飛沫拡散防止用衝立１Ａも、第一実施形態に係る飛沫拡散防止用衝立１と概ね同様の効果を奏する。
また、本実施形態では、当該衝立１Ａにおいて、透明シート部４０を、中央板部３０Ａの上下端部３３，３４と、左側板部１０Ａの上下端部１１，１２及び左端部１３と、右側板部２０Ａの上下端部２１，２２及び右端部２４とを除いた、中央板部３０Ａと左側板部１０Ａと右側板部２０Ａの略全体に亘って設けている。
したがって、透明シート部４０の領域をさらに大きく確保することができるので、当該衝立１Ａの外側の人が、当該衝立１Ａの内側の人間の様子をよりはっきりと視認することができ、外側の人が威圧感を受けることを大幅に回避することができ、より安心して当該衝立１Ａを使用することができる。
【００５７】  なお、上記した各実施形態に係る飛沫拡散防止用衝立１，１Ａを構成する各部材の構造や各寸法などは図例のものに限定されない。
各板部１０，１０Ａ，２０，２０Ａ，３０，３０Ａ，３１，３１Ａ，３２，３２Ａは、略矩形状のものに限られず、多角形状や楕円形状や、これらを混合した形状などとしてもよい。
また、各屈折部５０，５０Ａ，６０，６０Ａ，７０の構成は、上記した構成に限定されない。例えば、板部１０，１０Ａ，２０，２０Ａ，３０，３０Ａを構成する全体に対して上下方向の略全体に亘って折れ曲げ線をつけて、それを屈折部５０，５０Ａ，６０，６０Ａ，７０とし、そこを境に両隣りの板部１０，１０Ａ，２０，２０Ａ，３０，３０Ａ，３１，３１Ａ，３２，３２Ａが折り畳まれる構成としてもよい。各折り曲げ部１５，２５，３７と各板部１０，１０Ａ，２０，２０Ａ，３０，３０Ａとの間を連結する部位も、このような構成としてもよい。
また、第一係合部１６及び第二係合部２６、第一被係合部３８及び第二被係合部３９の構成は上記した構成に限定されず、互いに係合する関係となるような構成であればよい。
また、折り曲げ部１５，２５，３７の各板部１０，２０，３０に対する折り曲げ方向は図３のものに限られず、いずれかを、またはすべてを逆の方向としてもよい。
【符号の説明】
【００５８】  １，１Ａ                  飛沫拡散防止用衝立
１０，１０Ａ              左側板部
２０，２０Ａ              右側板部
３０，３０Ａ              中央板部
３１，３１Ａ              左側部
３２，３２Ａ              右側部
４０                      透明シート部
５０，５０Ａ              第一屈折部
６０，６０Ａ              第二屈折部
７０                      第三屈折部
１１，１２，１３，１４    左側板部の上端部、下端部、左端部及び右端部
２１，２２，２３，２４    右側板部の上端部、下端部、左端部及び右端部
３３，３４，３５，３６    中央板部の上端部、下端部、左端部及び右端部
１５                      第一折り曲げ部
２５                      第二折り曲げ部
３７                      第三折り曲げ部
１６                      第一係合部
２６                      第二係合部
３８                      第一被係合部
３９                      第二被係合部
２                        設置面
【図１】
0003228497.tif 000003
【図２】
0003228497.tif 000004
【図３】
0003228497.tif 000005
【図４】
0003228497.tif 000006
【図５】
0003228497.tif 000007
【図６】
0003228497.tif 000008
【図７】
0003228497.tif 000009
【図８】
0003228497.tif 000010